(57)【特許請求の範囲】
【請求項１】
空気の供給量に応じて浮沈するフロートに、正逆回転可能なモータを配設し、該モータによって駆動される回転軸の上部位置に曝気用スクリューを、下部位置に攪拌用スクリューを、それぞれ形成したことを特徴とする曝気機。
【発明の詳細な説明】
【０００１】
【発明の属する技術分野】
本発明は、汚水処理場において、汚水の好気処理と嫌気処理とを選択的に切り換えることができるようにした曝気機に関するものである。
【０００２】
【従来の技術】
従来、下水処理場においては、処理槽内に流入した汚水の硝化と脱窒とを行うために、曝気機の運転を好気処理と嫌気処理とを選択的に切り換えるようにしている。
【０００３】
このように、汚水の好気処理と嫌気処理とを選択的に切り換えて行うために、図４に示すような曝気機が用いられている。
この曝気機は、給排気管５からの空気の供給量に応じて浮沈するフロート４に、正逆転可能なモータ７を配設し、このモータ７によって駆動される回転軸１にスクリュー１０を形成して構成するようにしている。
そして、この曝気機は、給排気管５から空気をフロート４に供給して、スクリュー１０の下部のみを水中に浸漬するようにしてモータ７を正回転することにより、汚水を空気中に放出拡散するようにして好気処理を行い、一方、給排気管５からフロート４の空気を排出して、スクリュー１０の全体を水中に浸漬するようにしてモータ７を逆回転することにより、汚水を水中に放出拡散するようにして嫌気処理を行うようにしている。
【０００４】
【発明が解決しようとする課題】
このように、上記従来の曝気機は、１個のスクリュー１０を用い、モータ７の回転方向とスクリュー１０の水中への浸漬量を変更することによって、汚水を空気中に放出拡散するようにする好気処理と、汚水を水中に放出拡散する嫌気処理とを切り換えるようにしているが、この場合、１個のスクリュー１０を両方の処理に適したスクリュー形状にすることが困難なため、好気処理と嫌気処理の両方を効率的に行うようにすることができなかった。
【０００５】
本発明は、上記従来の曝気機の有する問題点に鑑み、汚水の好気処理と嫌気処理とを選択的に切り換えながら、かつ、好気処理と嫌気処理の両方を効率的に行うことができるようにした曝気機を提供することを目的とする。
【０００６】
【課題を解決するための手段】
上記目的を達成するため、本発明の曝気機は、空気の供給量に応じて浮沈するフロートに、正逆回転可能なモータを配設し、該モータによって駆動される回転軸の上部位置に曝気用スクリューを、下部位置に攪拌用スクリューを、それぞれ形成したことを特徴とする。
【０００７】
この曝気機は、給排気管からフロートの空気を排出して、曝気用スクリューの少なくとも下部を水中に浸漬するようにしてモータを正回転することにより、汚水を空気中に放出拡散するようにして好気処理を行い、一方、給排気管から空気をフロートに供給して、曝気用スクリューを水上に位置するようにするとともに、攪拌用スクリューの全体を水中に浸漬するようにしてモータを逆回転することにより、汚水を水中に放出拡散するようにして嫌気処理を行う。
【０００８】
【発明の実施の形態】
以下、本発明の曝気機の実施の形態を図面に基づいて説明する。
【０００９】
図１〜図３に、本発明の曝気機の一実施例を示す。
この曝気機は、例えば、下水処理場の処理槽に設置され、処理槽内に流入した汚水の硝化と脱窒とを行うために好気処理と嫌気処理とを選択的に切り換えることができるようにしたもので、給排気管５からの空気の供給量に応じて、所定の範囲内で浮沈するようにしたリング形状をしたフロート４に、モータ取付台６を介して、正逆転可能なモータ７を配設し、このモータ７によって駆動される回転軸１に２種類のスクリュー２，３を形成するとともに、この回転軸１をフロート４の略中心位置を貫通するようにして水中に浸漬して構成するようにしている。
【００１０】
この場合において、モータ７によって駆動される回転軸１に形成する２種類のスクリュー２，３のうちの一方のスクリュー２は、曝気用のもので、この曝気用スクリュー２は、回転軸１の上部位置に形成するようにする。
そして、給排気管５からフロート４の空気を排出して、曝気用スクリュー２の下部のみを水中に浸漬するようにしてモータ７を正回転することにより、汚水を巻き上げて空気中に放出拡散するようにして好気処理を行うようにする。
【００１１】
また、他方のスクリュー３は、攪拌用のもので、この攪拌用スクリュー３は、回転軸１の下部位置、さらに好ましくは、下端位置に形成するようにする。
そして、給排気管５から空気をフロート４に供給して、回転軸１の上部位置に形成した曝気用スクリュー２を水上に位置するようにするとともに、攪拌用スクリュー３の全体を水中に浸漬するようにしてモータ７を逆回転することにより、汚水を水中に放出拡散するようにして嫌気処理を行うようにする。
この場合、攪拌用スクリュー３は、汚水の攪拌に適した形状をし、かつ、モータ７を正回転した場合、攪拌による負荷が発生しない形状に形成するようにする。
また、攪拌用スクリュー３は、汚水を攪拌することにより高速の水流が発生するように、曝気用スクリュー２よりも小径に形成するとともに、モータ７の回転数を調整可能に構成して、モータ７の逆回転時の回転数が正回転時の回転数より高くなるように設定することが望ましい。
【００１２】
また、フロート４には、本実施例に示すようなリング形状のもののほか、曝気機のモータ７等を安定して水上に支持しながら、給排気管５からの空気の供給量に応じて、所定の範囲内、すなわち、給排気管５から空気をフロート４に供給して、回転軸１の上部位置に形成した曝気用スクリュー２を水上に位置するようにした浮上位置と、給排気管５からフロート４の空気を排出して、曝気用スクリュー２の下部のみを水中に浸漬するようにした沈下位置の間で浮沈することができるものであれば、ブロック状のものを複数個組み合わせて使用する等、任意の形状のものを使用することができる。
【００１３】
以下、この曝気機の作用について説明する。
汚水の好気処理を行う場合、図１に示すように、給排気管５からフロート４の空気を排出して、回転軸１の上部位置に形成した曝気用スクリュー２の下部のみを水中に浸漬するようにして、モータ７を正回転することにより、汚水を巻き上げて空気中に放出拡散するようにする。
このとき、攪拌用スクリュー３は、水中に浸漬した状態で回転するが、その形状により、負荷は発生しない。
【００１４】
一方、汚水の嫌気処理を行う場合、図２に示すように、給排気管５から空気をフロート４に供給して、回転軸１の上部位置に形成した曝気用スクリュー２を水上に位置するようにするとともに、攪拌用スクリュー３の全体を水中に浸漬するようにして、モータ７を逆回転することにより、汚水を水中にした浮給排気管５からフロート４の空気を排出して、曝気用スクリュー２の下部のみを水中に浸漬するようにし、モータ７を正回転することにより、汚水を水中に放出拡散するようにする。
【００１５】
【発明の効果】
本発明の曝気機によれば、曝気用スクリューの少なくとも下部を水中に浸漬するようにしてモータを正回転することにより、汚水を空気中に放出拡散するようにして好気処理を行い、一方、曝気用スクリューを水上に位置するようにするとともに、攪拌用スクリューの全体を水中に浸漬するようにしてモータを逆回転することにより、汚水を水中に放出拡散するようにして嫌気処理を行うことができる。
これにより、汚水の好気処理と嫌気処理とを選択的に切り換えながら、好気処理と嫌気処理の両方を効率的に行うことができ、併せて、好気処理の際の攪拌用スクリューによるエネルギのロスを低減することができる。
【図面の簡単な説明】
【図１】本発明の曝気機の一実施例（好気処理時）を示す正面図である。
【図２】同（嫌気処理時）を示す正面図である。
【図３】同平面図である。
【図４】従来の曝気機を示す正面図である。
【符号の説明】
１  回転軸
２  曝気用スクリュー
３  攪拌用スクリュー
４  フロート
５  給排気管
６  モータ取付台
７  モータ
【図１】
0003637194.tif 000002
【図２】
0003637194.tif 000003
【図３】
0003637194.tif 000004
【図４】
0003637194.tif 000005